(57)【要約】【課題】加工機による加工時の振動等が有っても、墨線を精度良く印字することができる様にする。【解決手段】印字機コントローラ４４０は、位置決め移送体１１０のサーボモータ１１２に対してシーケンサ４２０が出力する移送信号と同じ信号を入力し、この移送信号に基づいて木材の移送状況（移送開始・停止・移送再開）を推定し、インク吐出タイミング（印字の開始・停止・再開のタイミング）を決定する吐出タイミング決定手段（Ｓ４５０）を備えている。【選択図】図３
2018138372.tif 000002
【特許請求の範囲】
【請求項１】
木材を移送方向に移送して加工位置または印字位置などの任意の位置である位置決め位置に位置決めする移送位置決め体と、木材に対して画像を印字する印字装置とを備えた木材加工装置とを備える木材印字システムにおいて、以下の構成を備えたことを特徴とする木材印字システム。
（１−１）前記移送位置決め体には、移送量に対応する移送信号が入力された場合に、その移送量分、木材を移送方向に移送するための駆動力を発生させる駆動装置を備えていること。
（１−２）木材の移送・停止を実行させるための移送信号を、前記駆動装置に対して出力する指令装置を備えていること。
（１−３）前記指令装置が出力する移送信号が前記印字装置に対しても入力される様に構成し、前記印字装置には、印字の開始・停止・再開のタイミングを前記入力される移送信号から推定した送り量に基づいて決定する吐出タイミング決定手段を備えさせたこと。
【発明の詳細な説明】
【技術分野】
【０００１】
本発明は、木材同士を交差させて組付ける場合の組付け位置を示す墨線を、精度良く印字可能な木材印字システムに関するものである。
【背景技術】
【０００２】
現在、木造住宅を建てる場合、それに必要な木材は、予めプレカット工場で加工している。その場合、在来工法を用いた住宅であれば、羽柄材等に、垂木等の取り合いの基準線となる墨線等の組立情報を印字した状態で出荷されることがプレカット工場に望まれている。また、２×４工法を用いた住宅であれば、工場内において基準線となる墨線等の組立情報に基づいて、組み立てた状態でパネルとして出荷することがプレカット工場に求められている。
【０００３】
本願出願人は、こうした要望に応えるものとして、木材に対して文字・記号も墨線も印字でき、しかも、加工機による加工位置へ搬送する際に印字を行うことによって、処理全体に要する時間も短縮する装置が提案している（特許文献１）。特許文献１で提案した装置は、加工材移送位置決め移動体の駆動軸の端部に取り付けたエンコーダの信号を印字機コントローラに直接入力し、木材の移動と停止とを印字機コントローラで検知して印字を行うことにより、素材を比較的速い速度で移送しながらであっても正確な位置に墨線を記入することができる様にしている。
【先行技術文献】
【特許文献】
【０００４】
【特許文献１】特開２００８−１９４８９５号公報（0038，0059〜0062，0077）
【発明の概要】
【発明が解決しようとする課題】
【０００５】
ここで、加工する製品は、住宅毎に異なるため、形状や、製品長や、墨線の印字位置などは多種多様であると共に、プレカット加工装置で加工する木材は大きいため、木材の切削や切断を行う場合には、大きな振動が伴う。このため、特許文献１に記載の装置においても、木材に対する加工等の影響により、墨線の印字開始後や、印字中に大きな振動が発生すると、その影響を受けてエンコーダ信号に乱れが生じ、墨線が間違った位置に印字される場合があった。
【０００６】
そこで、本願は、加工機による加工時などの振動等が有っても、墨線を精度良く印字可能な木材印字システムを提供することを目的とする。
【課題を解決するための手段】
【０００７】
上記目的を達成するためになされた本発明の印字システムは、木材を移送方向に移送して加工位置または印字位置などの任意の位置である位置決め位置に位置決めする移送位置決め体と、木材に対して画像を印字する印字装置とを備えた木材加工装置とを備える木材印字システムにおいて、以下の構成を備えたことを特徴とする。
（１−１）前記移送位置決め体には、移送量に対応する移送信号が入力された場合に、その移送量分、木材を移送方向に移送するための駆動力を発生させる駆動装置を備えていること。
（１−２）木材の移送・停止を実行させるための移送信号を、前記駆動装置に対して出力する指令装置を備えていること。
（１−３）前記指令装置が出力する移送信号が前記印字装置に対しても入力される様に構成し、前記印字装置には、印字の開始・停止・再開のタイミングを前記入力され移送信号から推定した送り量に基づいて決定する吐出タイミング決定手段を備えさせたこと。
【０００８】
本発明の印字システムによれば、移送位置決め体も、印字装置も、互いに移送信号に基づいて動作するので、仮に、振動等の外乱により移送信号が変化しても、互いにその変化に追従し、位置決め位置の誤差を少なくできる。また、移送信号は、駆動指示のための信号であり、信号発生源に近いため、実際の木材の移送量をセンサ等を使って検出する場合よりも、振動等の外乱の影響が少なく有利である。よって、加工時などの振動等が有っても、墨線を精度良く印字できる。
【発明の効果】
【０００９】
本発明によれば、加工機による加工時などの振動等が有っても、墨線を精度良く印字することができる。
【図面の簡単な説明】
【００１０】
【図１】実施形態の羽柄材加工機の概略図である。
【図２】実施形態の制御系統を示すブロック図である。
【図３】実施形態における制御のフローチャートである。
【発明を実施するための形態】
【００１１】
以下に、本発明を適用した羽柄材加工機の実施例を説明する。
【実施例１】
【００１２】
以下、実施の形態としての羽柄材加工機において、正確な位置に墨線を精度良く印字することができる印字システムについて実施例で説明する。まず、機械装置としての構成について説明する。図１に示す様に、この羽柄材加工機１は、投入コンベア１００と、加工機本体２００と、取出しコンベア３００とを備えている。
【００１３】
投入コンベア１００には、加工材の長手方向に移動可能な位置決め移送体１１０が備えられている。なお、位置決め移送体１１０の先端が加工材後端を押し当て、取出しコンベア３００方向へ移送することで加工材の移送位置決めを行う。また、位置決め移送体１１０は、左右方向へ駆動するためのサーボモータ１１２が備えられている。サーボモータ１１２によって、位置決め移送体１１０の移送位置決めを駆動制御される。この、位置決め移送体１１０の移送方向移動量は、加工材の移送方向移動量に相当する。なお、サーボモータ１１２にはエンコーダが内蔵されている。
【００１４】
印字装置１２０は、加工機本体２００の投入コンベア側に設置され、センサ１１３は、印字装置１２０の右側直近に設置されている。このセンサ１１３は、位置決め移送体１１０によって移送されてきた加工材の取り出しコンベア３００側先端を検出し、その信号をシーケンサに送る。
【００１５】
本実施形態の羽柄材加工機１は、上述の様な構成を備えたことにより、位置決め移送体１１０によって加工材を取出しコンベア３００方向へ移送している最中に印字装置１２０を駆動して加工材に対する印字及び墨線の記入を実行することができる。なお、位置決め移送体１１０は、丸鋸２１０による切断加工の処理のための移送位置決めをも実行する様に構成されている。
【００１６】
次に、本実施形態の羽柄材加工機１の制御系統の構成について説明する。本実施形態の制御系統は、図２に示す様に、制御コンピュータ４１０と、シーケンサ４２０と、加工機４３０と印字機コントローラ４４０とによって構成されている。
【００１７】
制御コンピュータ４１０は、シーケンサ４２０へ加工のための加工データを送信し、印字機コントローラ４４０へ文字・記号等や墨線を印字するための印字データを送信する。さらに、シーケンサ４２０から加工機４３０へ加工データに基づいて加工指令が出される。また、シーケンサ４２０から加工機４３０へ加工指令が出されたら、シーケンサ４２０からサーボモータ１１２へ駆動指示指令が出され、加工材の投入を開始する。投入された加工材の取出しコンベア３００側先端をセンサ１１３で検知し、シーケンサ４２０へ信号が送られる。
【００１８】
シーケンサ４２０は、センサ１１３から材検知の信号を入力したときに、印字機コントローラ４４０に対して印字許可信号を出力する。印字許可信号の出力と同時に、シーケンサ４２０からサーボモータ１１２及び印字機コントローラ４４０へと、１パルス当たりの送り量を例えば０．３mmとする駆動指令に相当する移送信号を出力する。シーケンサ４２０は、木材を送りの途中で加工位置に停止させる場合は、加工位置までの送りのための移送信号と、加工終了後に再開する送りのための移送信号とを、それぞれ出力する。
【００１９】
サーボモータ１１２は、シーケンサ４２０から入力される移送信号に従って、位置決め移送体１１０による木材の移送・停止・移送再開を実行する。この際、サーボモータ１１２は、内蔵エンコーダ４５０による検出信号を参照し、シーケンサ４２０からの移送信号に対応するパルス分だけ位置決め移送体１１０を移動させて停止し、その後の送りのための移送信号が入力されたら、当該移送信号に対応するパルス分だけ位置決め移送体１１０を移動させる、といった制御を実行する。
【００２０】
印字機コントローラ４４０は、制御コンピュータ４１０からの印字データを入力すると、当該印字データを位置決め移送体１１０による送り速度を考慮したインク吐出タイミングで印字ヘッドを制御するための印字機駆動データに展開する。そして、印字機コントローラ４４０は、シーケンサ４２０から印字許可信号が入力されることによって、印字機駆動データに基づく印字制御を開始する。この際、印字機コントローラ４４０は、シーケンサ４２０から入力される移送信号に基づいて送り速度を考慮したインク吐出タイミングで印字ヘッドを駆動制御する。この印字ヘッドの駆動制御に当たり、印字機コントローラ４４０は、移送信号に対応する移送量を推定し、印字ヘッドの吐出・吐出停止・吐出再開といった駆動制御の実行タイミングを決定する。より具体的には、印字機コントローラ４４０は、移送信号に基づいてインクの吐出を開始した後、加工位置に木材が停止している間はインクの吐出を行わず、移送再開に対応する移送信号が入力されて加工位置から再び木材の移送が再開されたらインクの吐出を再開する、といった具合に、移送信号に基づいて木材の移送・停止・移送再開を推定しつつ印字ヘッドの駆動制御を実行する。
【００２１】
次に、制御処理の内容について説明する。図３（Ａ）に示す様に、制御コンピュータ４１０はシーケンサ４２０に加工データを、印字機コントローラ４４０に印字データを送信する（Ｓ１１０）。制御コンピュータ４１０は、シーケンサ４２０から加工完了信号が入力されたら（Ｓ１２０：ＹＥＳ）、次の加工材の有無を判定する（Ｓ１３０）。制御コンピュータ４１０は、次の加工材がある場合はＳ１１０へと戻り（Ｓ１３０：ＹＥＳ）、次の加工材がなくなったら（Ｓ１３０：ＮＯ）、処理を終了する。
【００２２】
シーケンサ４２０は、図３（Ｂ）に示す様に、制御コンピュータ４１０から加工データを受信したら（Ｓ２１０：ＹＥＳ）、サーボモータ１１２を駆動して加工材を加工機本体２００方向へと移送開始する（Ｓ２２０）。そして、センサ１１３からの先端検出信号がシーケンサ４２０に入力されたら（Ｓ２３０：ＹＥＳ）、印字機コントローラ４４０に対して印字許可信号を出力すると共に（Ｓ２４０）、サーボモータ１１２に対して、移送信号を出力する（Ｓ２５０）。移送信号は、所定の送り量分だけ連続的に木材を送るための信号であって、印字機コントローラ４４０に対しても入力される。サーボモータ１１２は、当該移送信号に対応する送り量の移送を完了したら、シーケンサ４２０に対して完了信号を戻す。シーケンサ４２０は、この移送完了信号の到着を受けて、今回受信した加工データに対応する加工が完了したか否かを判定する（Ｓ２６０）。そして、加工が完了しない間は（Ｓ２６０：ＮＯ）、次の連続送りによる移送再開のタイミングか否かを判定し（Ｓ２７０）、移送再開のタイミングとなった場合は（Ｓ２７０：ＹＥＳ）、次の連続送りのための移送信号を出力する（Ｓ２８０）。この移送信号も、印字機コントローラ４４０に入力される。なお、シーケンサ４２０は、Ｓ２５０で出力した移送信号に対応する送りが完了した後、Ｓ２８０で次の移送信号を出力する間に、加工機本体２００に対してクランプ・切断・アンクランプ等の動作を指令して木材に対する加工を実行させ、加工が完了して木材の移送を終えるときは（Ｓ２６０：ＹＥＳ）、加工完了信号を制御コンピュータ４１０に対して出力して処理を終了する（Ｓ３００）。
【００２３】
印字機コントローラ４４０は、図３（Ｃ）に示す様に、制御コンピュータから印字データを受信したら（Ｓ４１０：ＹＥＳ）、当該印字データを印字機駆動データに展開する（Ｓ４２０）。そして、シーケンサ４２０から印字許可信号が入力されるのを待つ（Ｓ４３０）。印字許可信号が入力され（Ｓ４３０：ＹＥＳ）、移送信号が入力されたら（Ｓ４４０：ＹＥＳ）、当該移送信号から木材の移送状況を推定し、印字機駆動データに基づいて印字ヘッドによるインク吐出タイミングを決定する（Ｓ４５０）。そして、決定した吐出タイミングになったときに印字ヘッドを駆動する制御を実行する（Ｓ４６０，Ｓ４７０）。ここで、移送状況の推定は、移送信号によって定まる送り量とサーボモータ１１２による送り速度（１パルス当たり０．３ｍｍ）とに基づいた演算による。また、インク吐出タイミングは、印字機駆動データによる画像情報と移送状況とから演算により決定する。なお、今回の移送状況の推定結果が連続的に描画すべき画像情報の途中までの送り量となっている場合は、連続的に描画すべき画像の途中までのインク吐出タイミングとなる様に決定される。この様な場合は、印字完了か否かの判定が「ＮＯ」となり、Ｓ４５０で決定したインク吐出タイミングまでの駆動制御を完了した時点でインクの吐出を中断し、次の移送信号が入力されるまで待機する（Ｓ４８０→Ｓ４４０）。次の移送信号が入力されたら（Ｓ４４０：ＹＥＳ）、Ｓ４５０以下の処理を実行する。こうして、連続的に描画すべき画像は、移送が中断されたときはインクの吐出を中断して途中まで描画し、移送が再開されると同時に続きが描画されることとなる。こうして、Ｓ４２０で生成した印字機駆動データは、入力された移送信号に基づいて推定される木材の移送状況に対応して印字され、印字機駆動データに基づく印字が完了したら（Ｓ４６０：ＹＥＳ）、本処理を終了する。
【００２４】
以上の様に構成したので、本実施形態によれば、加工時における機械全体の振動、移送時におけるギア同士のバックラッシュによる搬送装置の振動、移送の中断時・再開時の搬送装置の振動等が生じても、印字機コントローラ４４０の吐出タイミングの制御に対して影響を与えることがなく、正確な位置に精度良く墨線を印字することができる。
【００２５】
以上、本発明の一実施の形態について説明したが、本発明は上述した実施の形態に限られることなく、その要旨を逸脱しない範囲内において、さらに種々の態様にて実施することができる。
【００２６】
例えば、羽柄材加工機に限らず、各種のプレカット加工装置に本発明を適用することができることはもちろんである。さらには、シーケンサ４２０から直接ではなく、サーボモータ１１２への信号ラインを分岐させ、あるいは、サーボモータ１１２のコントローラを経由して印字機コントローラ４４０へと移送信号を入力する構成としてもよい。
【産業上の利用可能性】
【００２７】
木造住宅用の木材プレカット工場において利用することができる。
【符号の説明】
【００２８】
１・・・羽柄材加工機
１００・・・投入コンベア
１１０・・・位置決め移送体
１１２・・・サーボモータ
１１３・・・センサ
１２０・・・印字装置
２００・・・加工機本体
２１０・・・丸鋸
３００・・・取出しコンベア
４１０・・・制御コンピュータ
４２０・・・シーケンサ
４３０・・・加工機
４４０・・・印字機コントローラ
４５０・・・内蔵エンコーダ
【図１】
2018138372.tif 000003
【図２】
2018138372.tif 000004
【図３】
2018138372.tif 000005